(57)【要約】【課題】新たな視標を容易に組み込むことができる自覚式検眼装置を提供する。【解決手段】画像出力部２７は、ＣＰＵ２８によりメモリ部２９から抽出された操作画像データ３１に対応する操作画像を示す操作画像信号を第一の出力ポート４３から表示部２５に出力し、ＣＰＵ２８により抽出された視標データ３０に対応する視標１１を示す視標画像信号を第二の出力ポート４４から表示部２５及び視標呈示部１３に出力する。【選択図】図２
2008131963.tif 000002
【特許請求の範囲】
【請求項１】
被検眼に呈示する各種の視標を表示するための視標呈示部と、各種の光学素子を保持し、被検者からの応答に対応した種類の前記光学素子を前記被検眼と前記視標呈示部との間に選択的に配置するための光学素子配置装置と、前記各視標及び前記光学素子をそれぞれ選択すべく操作される操作部と、該操作部の操作内容を示す操作画像を表示するための表示部と、前記各視標を示す複数の視標データ及び前記操作画像を示す操作画像データがそれぞれ記憶されたメモリ部と、前記操作部の操作に基づいて前記視標データ及び前記操作画像データをそれぞれ前記メモリ部から抽出する演算制御部と、少なくとも二つの出力ポートを有する画像出力部とを備え、該画像出力部は、前記演算制御部により抽出された前記操作画像データに対応する操作画像信号を一方の前記出力ポートを介して前記表示部に出力し、前記演算制御部により抽出された前記視標データに対応する視標画像信号を他方の前記出力ポートを介して前記表示部、前記視標呈示部及びそれらとは別の画像表示手段のうち少なくとも一つに出力することを特徴とする自覚式検眼装置。
【請求項２】
前記画像出力部は、前記表示部に前記視標画像信号を前記他方の出力ポートを介して出力し、前記表示部には、前記操作部の操作により選択された前記視標が前記操作画像と共に又は／及び該操作画像と切替可能に表示されることを特徴とする請求項１に記載の自覚式検眼装置。
【請求項３】
前記画像出力部は、前記表示部に前記視標画像信号を前記他方の出力ポートを介して出力し、前記表示部は、少なくとも二方向からそれぞれ互いに異なる画像が視認可能な液晶を有する液晶パネルであり、前記表示部には、前記操作部の操作により選択された前記視標が一方向から視認可能となるように表示され、更に、前記操作画像が他方向から視認可能となるように表示されることを特徴とする請求項１に記載の自覚式検眼装置。
【請求項４】
前記画像出力部は、前記画像表示手段に前記視標画像信号を前記他方の出力ポートを介して出力することを特徴とする請求項１乃至３のいずれか一項に記載の自覚式検眼装置。
【請求項５】
前記メモリ部には、前記操作部の操作により選択される各種の検査の内容を示す複数の検査データが記憶されており、前記演算制御部は、前記操作部の操作により選択された検査に対応する前記検査データを前記メモリ部から抽出し、抽出された前記検査データを示す信号を前記画像出力部に出力し、前記画像出力部は、前記演算制御部からの信号に基づいて前記検査の内容を示す画像を前記画像表示手段に表示する旨の検査画像信号を前記画像表示手段に出力することを特徴とする請求項４に記載の自覚式検眼装置。
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、眼鏡を作成する際に該眼鏡のレンズの屈折度数を定めるために、被検者の各眼の視機能を被検者の応答に基づいて検査するための自覚式検眼装置が知られている（例えば、特許文献１参照。）。
【０００３】
このような自覚式検眼装置は、各種の視標を被検眼に呈示する視標呈示部と、被検眼の視機能を矯正するための光学素子である複数の矯正レンズを保持し、被検者からの応答に応じた屈折力を有する矯正レンズを被検眼と視標呈示部との間に選択的に配置する光学素子配置装置と、視標呈示部及び光学素子配置装置の作動を制御するコントローラとを備える。この自覚式検眼装置では、複数の種類の検査を行うことができ、各検査はそれぞれに設定された視標を用いて実行される。
【０００４】
コントローラは、被検眼に呈示する視標及び矯正レンズをそれぞれ選択するために操作される操作部と、該操作部の操作内容を表示する表示部と、各視標を示す複数の視標データ及び表示部に表示される操作画像を示す操作画像データが記憶されるメモリ部とを備える。更に、コントローラは、操作部の操作により選択された視標に対応する視標データ及び操作画像データをそれぞれメモリ部から抽出する演算制御部と、該演算制御部により抽出された操作画像データに対応する操作画像を示す画像信号を表示部に出力するための出力部とを備える。演算制御部は、抽出した視標データに対応する視標を表示する旨の駆動制御信号を視標呈示部に送信する。
【０００５】
視標呈示部は、コントローラのメモリ部の各視標データと同一の視標データが記憶されたメモリ部と、メモリ部に記憶された各視標データに対応する視標が記された複数の視標板と、コントローラの演算制御部からの駆動制御信号の視標データをメモリ部から抽出する制御部と、該制御部で抽出した視標データに対応する視標板を被検眼の前方に選択的に配置すべく駆動する配置装置とを備える。
【０００６】
被検眼の視機能を検査する際、検者は、先ず、検査の種類に対応した種類の視標をコントローラの操作により選択する。これにより、コントローラの演算制御部から受ける駆動制御信号により配置装置が駆動することによって駆動制御信号に示された視標に対応する視標板が被検眼の前方に配置される。次に、被検者が視標板の視標を矯正レンズを通して見たときの視標の見え方を被検者に質問し、被検者からの応答に基づいて矯正レンズを被検眼の見え方に応じた矯正レンズに切り替える。これにより、被検眼の視機能が矯正され、作成すべき眼鏡のレンズの屈折力の値を定めることができる。
【特許文献１】特開２００２−１４３０９２号公報
【発明の開示】
【発明が解決しようとする課題】
【０００７】
しかしながら、各視標を被検者に呈示するための視標呈示部が、コントローラのメモリ部の各視標データと同一の視標データが記憶されたメモリ部と、該メモリ部に記憶された各視標データに対応する視標が記された複数の視標板とを備えることから、コントローラのメモリ部に例えば新たな視標データを追加し、又は、既存の視標データを視標データに変更した場合、視標呈示部で呈示可能な視標の種類をコントローラで選択可能な視標の種類と整合させるために、コントローラのメモリ部に新たに追加された視標データと同一の視標データを視標呈示部のメモリ部に新たに追加し更に追加した視標データに対応する視標が記された視標板を視標呈示部に新たに追加し、又は、視標呈示部のメモリ部の視標データをコントローラのメモリ部と同様に変更し更に視標板を新たな視標板に変更する必要がある。このため、自覚式検眼装置に新たな視標を組み込むための作業が煩雑になる。
【０００８】
そこで、本発明の目的は、新たな視標を容易に組み込むことができる自覚式検眼装置を提供することにある。
【課題を解決するための手段】
【０００９】
上記課題を解決するために、請求項１に記載の発明は、被検眼に呈示する各種の視標を表示するための視標呈示部と、各種の光学素子を保持し、被検者からの応答に対応した種類の前記光学素子を前記被検眼と前記視標呈示部との間に選択的に配置するための光学素子配置装置と、前記各視標及び前記光学素子をそれぞれ選択すべく操作される操作部と、該操作部の操作内容を示す操作画像を表示するための表示部と、前記各視標を示す複数の視標データ及び前記操作画像を示す操作画像データがそれぞれ記憶されたメモリ部と、前記操作部の操作に基づいて前記視標データ及び前記操作画像データをそれぞれ前記メモリ部から抽出する演算制御部と、少なくとも二つの出力ポートを有する画像出力部とを備え、該画像出力部は、前記演算制御部により抽出された前記操作画像データに対応する操作画像信号を一方の前記出力ポートを介して前記表示部に出力し、前記演算制御部により抽出された前記視標データに対応する視標画像信号を他方の前記出力ポートを介して前記表示部、前記視標呈示部及びそれらとは別の画像表示手段のうち少なくとも一つに出力することを特徴とする。
【００１０】
請求項２に記載の発明は、請求項１に記載の発明において、前記画像出力部は、前記表示部に前記視標画像信号を前記他方の出力ポートを介して出力し、前記表示部には、前記操作部の操作により選択された前記視標が前記操作画像と共に又は／及び該操作画像と切替可能に表示されることを特徴とする。
【００１１】
請求項３に記載の発明は、請求項１に記載の発明において、前記画像出力部は、前記表示部に前記視標画像信号を前記他方の出力ポートを介して出力し、前記表示部は、少なくとも二方向からそれぞれ互いに異なる画像が視認可能な液晶を有する液晶パネルであり、前記表示部には、前記操作部の操作により選択された前記視標が一方向から視認可能となるように表示され、更に、前記操作画像が他方向から視認可能となるように表示されることを特徴とする。
【００１２】
請求項４に記載の発明は、請求項１乃至３のいずれか一項に記載の発明において、前記画像出力部は、前記画像表示手段に前記視標画像信号を前記他方の出力ポートを介して出力することを特徴とする。
【００１３】
請求項５に記載の発明は、請求項４に記載の発明において、前記メモリ部には、前記操作部の操作により選択される各種の検査の内容を示す複数の検査データが記憶されており、前記演算制御部は、前記操作部の操作により選択された検査に対応する前記検査データを前記メモリ部から抽出し、抽出された前記検査データを示す信号を前記画像出力部に出力し、前記画像出力部は、前記演算制御部からの信号に基づいて前記検査の内容を示す画像を前記画像表示手段に表示する旨の検査画像信号を前記画像表示手段に出力することを特徴とする。
【発明の効果】
【００１４】
請求項１に記載の発明によれば、少なくとも二つの出力ポートを有する画像出力部は、操作部の操作に基づいて演算制御部によりメモリ部から抽出された操作画像データに対応する操作画像を示す操作画像信号を一方の出力ポートから表示部に出力し、演算制御部により抽出された視標データに対応する視標を示す視標画像信号を他方の出力ポートから表示部、視標呈示部及びそれらとは別の画像表示手段のうち少なくとも一つに出力することから、画像出力部の前記他方の出力ポートを例えば視標呈示部のための出力ポートに設定した場合、画像出力部から前記他方の出力ポートを経て視標呈示部に視標画像信号が出力されることにより、操作部の操作により選択された視標を視標呈示部に表示させることができる。
【００１５】
すなわち、視標呈示部は、演算制御部から受信した画像信号に基づいて該画像信号に示された画像が電気的に表示される例えば液晶パネルのような装置で構成されており、演算制御部から視標提示部に出力された駆動制御信号に基づいて各視標データと同一の視標データが記憶されたメモリ部から駆動制御信号が示す視標に対応する視標データを抽出し、抽出した視標データに対応する視標板を被検眼の前方に選択的に配置するために配置装置を機械的に駆動させる従来のような視標呈示部では構成されていない。
【００１６】
これにより、従来の視標呈示部に設けられたメモリ部及び各視標板は不要であることから、自覚式検眼装置に新たな視標を組み込む際、メモリ部に例えば新たな視標データを追加し、又は、メモリ部に記憶された既存の視標データを他の視標データに変更すれば足り、このメモリ部への追加及び変更に伴ってメモリ部以外の部材への追加作業及び変更作業を施す必要はない。
【００１７】
従って、従来のように視標呈示部で呈示可能な視標の種類を操作部で選択可能な視標の種類と整合させる必要がある場合に比べて、自覚式検眼装置に新たな視標を確実に容易に組み込むことができる。
【００１８】
請求項２に記載の発明によれば、画像出力部は、表示部に視標画像信号を前記他方の出力ポートを介して出力し、表示部には、操作部の操作により選択された視標が操作画像と共に又は／及び該操作画像と切替可能に表示されることから、操作画像を視認しながら又は表示部の表示を切り換えることにより、操作部により選択された視標を容易に視認することができる。これにより、例えば画像出力部から前記他方の出力ポートを介して表示部及び視標呈示部にそれぞれ視標画像信号が出力される場合、検者は、表示部に表示された視標を視認することにより、視標呈示部に表示された視標すなわち被検者に呈示された視標が操作部の操作により選択された視標と一致しているか否かを容易に確認することができる。従って、被検者に呈示された視標が操作部の操作により選択された視標と一致しているか否かを確認するために例えば視標呈示部を覗き込む場合に比べて、被検眼の視機能検査を円滑に進行することができる。
【００１９】
請求項３に記載の発明によれば、画像出力部は、表示部に視標画像信号を前記他方の出力ポートを介して出力し、表示部は、少なくとも二方向からそれぞれ互いに異なる画像が視認可能な液晶を有する液晶パネルであり、表示部には、操作部の操作により選択された視標が一方向から視認可能となるように表示され、更に、操作画像が他方向から視認可能となるように表示されることから、操作部によって選択された視標及び操作画像の両方が表示された表示部を被検眼に近づけ、被検者に視標が視認可能となる一方向から表示部を視認させることにより、近方を見た状態での被検眼の視機能を検査する際に視標を被検眼に呈示する呈示手段としての役割を表示部に担わせることができる。
【００２０】
また、表示部を他方向から見ることにより操作画像が視認可能となることから、近方を見た状態での被検眼の検査中に操作画像を視認する必要があるときに、検者は被検眼に視標を呈示した状態で操作画像を視認することができるので、操作画像を視認するために例えば表示部の表示を視標から操作画像に切り換える場合に比べて、検査時間の短縮を確実に図ることができる。
【００２１】
請求項４に記載の発明によれば、画像出力部は、表示部及び視標呈示部とは別の画像表示手段に視標画像信号を前記他方の出力ポートを介して出力する。
【００２２】
従来、被検者が子供である場合のように被検者に例えば親が同伴している場合、親は、検査結果として子供の視力値やメガネをかけるべきか否か等を知ることはできるが、被検者である子供に同伴しているにも拘らず、子供に呈示された視標を見ることが困難であるため、子供がどの程度の大きさの文字及び記号等を見ることができないのかを実際に知ることができない。このため、例えばメガネをかけるべきであるとの検者による判断に対する不安を同伴者である親に与えてしまうことがある。
【００２３】
これに対し、本発明によれば、画像出力部は、前記画像表示手段に視標画像信号を前記他方の出力ポートを介して出力することから、前記画像表示手段を例えば被検者の同伴者に視標を呈示するために用いることにより、前記画像表示手段に表示された視標すなわち被検者に呈示された視標を同伴者が視認することができる。これにより、被検者が子供であり親が同伴している場合、親は、前記画像表示手段に表示された視標を視認することにより、子供に呈示された視標を容易に見ることができるので、子供がどの程度の大きさの文字及び記号等を見ることができないのかを実際に知ることができる。従って、例えばメガネをかけるべきであるとの検者による判断に対する安心感を同伴者である親に与えることができる。
【００２４】
請求項５に記載の発明によれば、演算制御部は、操作部の操作に基づいてメモリ部から抽出した検査データを示す信号を画像出力部に出力し、画像出力部は、演算制御部からの信号に基づいて検査の内容を示す画像を前記画像表示手段に表示する旨の検査画像信号を前記画像表示手段に出力することから、被検者が子供であり該被検者に親が同伴している場合、前記画像表示手段を親に視標及び検査内容を呈示するために用いることにより、親は、前記画像表示手段の表示を視認することにより、子供に呈示された視標を容易に見ることができることに加えて、実行されている検査の内容を見ることができるので、子供がどのような検査を行った結果例えばメガネをかけるべきであるとの判断に至ったのかを確認することができる。これにより、被検者である子供の視機能検査に対する安心感を親により確実に与えることができる。
【発明を実施するための最良の形態】
【００２５】
本発明を図示の実施例に沿って説明する。
【実施例】
【００２６】
本発明に係る自覚式検眼装置１０は、図１に示すように、被検者１２の被検眼に呈示する各種の視標１１を表示するための視標呈示部１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられる。
【００２７】
視標呈示部１３は、視標１１が表示される表示画面１６を有する。表示画面１６は、図示の例では、液晶パネルで構成されており、表示画面１６に表示される視標１１は、後述するコントローラ１５の操作により選択される。
【００２８】
視標呈示部１３の被検者１２側には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００２９】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折力の異なる複数の矯正レンズが周方向に沿って設けられた環状のレンズディスクが回転可能に収納されている。すなわち、矯正装置１４は、光学素子である前記矯正レンズを被検眼と視標呈示部１３との間に選択的に配置する光学素子配置装置を構成している。前記各矯正レンズは、前記コントローラ１５の制御下で前記レンズディスクの回転により各検眼窓２２内に選択的に配置される。
【００３０】
更に、本発明に係る自覚式検眼装置１０は、矯正装置１４及び視標呈示部１３の作動を制御する前記したコントローラ１５を備える。
【００３１】
コントローラ１５は、検眼テーブル１８上に載置されており、図２及び図３に示すように、検者２３（図１参照。）により操作される操作部２４、該操作部の後述する操作画像を表示するための表示部２５、演算制御回路２６及び画像出力部２７を有する。
【００３２】
演算制御回路２６は、図２に示すように、ＣＰＵ２８及びメモリ部２９を有する。ＣＰＵ２８は、操作部２４及び画像出力部２７に接続されており、更に、矯正装置１４に設けられた図示しない駆動制御部に接続されている。メモリ部２９には、各種の検査に用いられる各種の視標１１を示す視標データ３０と、前記した操作画像を示す操作画像データ３１と、各種の検査の名前及びその内容を示す検査データ３２と、ＣＰＵ２８による算出のための各種の計算プログラム３３と、前記各矯正レンズの球面度数、乱視度数及び軸角度等の屈折力を示す屈折力データ３４とがそれぞれ記憶されている。
【００３３】
操作部２４には、図３に示すように、各フォロプタ２１の検眼窓２２内に配置する前記矯正レンズを選択するためのダイヤル３５や、後述するように操作画像が表示部２５に表示される操作画像モードと視標１１が表示部２５に表示される視標モードとを切り換えるための表示切替スイッチ３６等の、検査の設定のための各種スイッチが設けられている。
【００３４】
ＣＰＵ２８は、ダイヤル３５が操作されると、該ダイヤルの操作位置に対応する屈折力をメモリ部２９の屈折力データ３４から抽出し、抽出した該屈折力データが示す屈折力を有する前記矯正レンズを各フォロプタ２１の検眼窓２２内に配置する旨の制御信号を矯正装置１４の前記駆動制御部に制御信号を送る。これにより、ダイヤル３５の操作により選択された屈折力を有する前記矯正レンズが各フォロプタ２１の検眼窓２２内に配置される。
【００３５】
また、ＣＰＵ２８は、ダイヤル３５が操作されると、メモリ部２９から抽出した屈折力データ３４を示す信号を画像出力部２７に送る。
【００３６】
更に、ＣＰＵ２８は、例えば自覚式検眼装置１０の電源がＯＦＦ状態からＯＮ状態に切り替わったとき、メモリ部２９から操作画像データ３１を読み込み、該操作画像データを示す信号を画像出力部２７に送る。
【００３７】
表示部２５は、図２に示すように、画像出力部２７に接続されており、操作部２４の前記各スイッチの操作により設定された内容を示す前記した操作画像が表示される表示画面３７を有する。また、表示部２５は、図３に示す例では、その下縁部２５ａで、操作部２４の縁部２４ａに該縁部に沿って設けられた図示しない軸部材を介して該軸部材の周りに回動可能に支持されている。
【００３８】
表示画面３７は、図示の例では、液晶パネルで構成されている。表示画面３７には、図４に示すように、操作部２４のダイヤル３５の操作により設定された前記矯正レンズの屈折力が表示される屈折力表示欄３８と、視標呈示部１３の表示画面１６に表示される視標１１の一覧が表示される一覧表示欄３９と、検査に用いるべく一覧表示欄３９から選択された視標１１が表示される視標表示欄４０とが設けられている。更に、表示画面３７には、視標表示欄４０に表示された視標１１を用いて実行されている検査の種類が表示される検査名表示欄４１と、実行されている検査の内容が表示される検査内容表示欄４２とが設けられている。
【００３９】
屈折力表示欄３８、一覧表示欄３９、視標表示欄４０、検査名表示欄４１及び検査内容表示欄４２は、それぞれメモリ部２９に記憶された操作画像データ３１に含まれている。
【００４０】
また、本実施例では、表示画面３７上に図示しないタッチパネルが設けられている。前記タッチパネルは、一覧表示欄３９上に配置されており、図示しないが従来よく知られているように、複数の導電膜ストライプが互いに平行に形成され且つ両端部に抵抗膜が設けられた透明のフィルムやガラス等の一対のパネル部材を各導電膜ストライプが互いに直交するように貼り合わせることにより形成されている。前記タッチパネルの表面が押下されたとき、前記各パネル部材に形成された前記各導電膜ストライプが互いに接触することにより電気的に導通したとき、前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したことがタッチセンサにより検出され、これにより、前記タッチパネルの押下された位置が特定される。従って、表示画面３７に表示された例えば一覧表示欄３９の各視標１１のうち検査に用いる視標１１を示す画像を表示画面３７上から押下することにより、一覧表示欄３９から視標１１を選択することができる。前記タッチセンサは、押下された位置を検出すると、該位置を示す検出信号をＣＰＵ２８に送る。
【００４１】
ＣＰＵ２８は、前記タッチセンサから検出信号を受けると、該検出信号に示された押下位置の視標１１に対応する視標データ３０をメモリ部２９から抽出し、抽出した視標データ３０を示す信号を画像出力部２７に送る。
【００４２】
また、ＣＰＵ２８は、前記タッチセンサから検出信号を受けると、該検出信号に示された押下位置の視標１１を用いて実行される検査を示す検査データ３２をメモリ部２９から抽出し、抽出した検査データ３２を示す信号を画像出力部２７に送る。
【００４３】
画像出力部２７は、図２に示す例では、ＣＰＵ２８から受ける操作画像データ３１を示す操作画像信号を出力するための第一の出力ポート４３と、ＣＰＵ２８から受ける視標データ３０を示す視標画像信号を出力するための第二の出力ポート４４とを有する。更に、画像出力部２７は、ＣＰＵ２８から受ける屈折力データ３４を示す屈折力画像信号を出力するための第三の出力ポート４５と、ＣＰＵ２８から受ける検査データ３２を示す検査画像信号を出力するための第四の出力ポート４６とを有する。
【００４４】
図示の例では、第一の出力ポート４３、第三の出力ポート４５及び第四の出力ポート４６はそれぞれ表示部２５に接続されており、第二の出力ポート４４は表示部２５及び視標呈示部１６に接続されている。
【００４５】
画像出力部２７は、ＣＰＵ２８から操作画像データ３１を示す信号を受けると、操作画像を表示画面３７に表示させることを示す操作画像信号を第一の出力ポート４３を介して表示部２５に出力する。これにより、表示部２５の表示画面３７には、操作画像データ３１に含まれる屈折力表示欄３８、一覧表示欄３９、視標表示欄４０、検査名表示欄４１及び検査内容表示欄４２がそれぞれ図４に示すように表示される。
【００４６】
また、画像出力部２７は、ＣＰＵ２８から屈折力データ３４を示す信号を受けると、操作画像データ３１に含まれる屈折力表示欄３８に屈折力データ３４が示す屈折力を表示する旨の屈折力画像信号を第三の出力ポート４５を介して表示部２５に出力する。これにより、表示部２５の表示画面３７の屈折力表示欄３８には、図４に示すように、ダイヤル２８の操作により選択された前記矯正レンズの屈折力の値が表示される。
【００４７】
更に、画像出力部２７は、ＣＰＵ２８から検査データ３２を示す信号を受けると、操作画像データ３１に含まれる検査名表示欄４１及び検査内容表示欄４２にそれぞれ検査データ３２が示す検査名及び検査内容を表示する旨の検査画像信号を第四の出力ポート４６を介して表示部２５に出力する。これにより、表示部２５の表示画面３７の検査名表示欄４１及び検査内容表示欄４２には、図４に示すように、それぞれ検査名及び検査内容が表示される。
【００４８】
また、画像出力部２７は、ＣＰＵ２８から視標データ３０を示す信号を受けると、該視標データが示す視標１１を操作画像の視標表示欄４０に表示させる旨の視標画像信号を第二の出力ポート４４を介して表示部２５に出力する。これにより、表示部２５の視標表示欄４０には、図４に示すように、表示部２５で選択された視標１１が表示される。
【００４９】
更に、画像出力部２７は、ＣＰＵ２８から視標データ３０を示す信号を受けると、該視標データが示す視標１１を表示画面１６に表示させる旨の視標画像信号を第二の出力ポート４４を介して視標呈示部１３に出力する。これにより、視標呈示部１３の表示画面１６には、図４に示すように、表示部２５で選択された視標１１が表示される。
【００５０】
遠方を見た状態での被検眼の視機能を検査する際、検者２３は、先ず、表示部２５が前記した視標モードにおかれている場合には、操作部２４に設けられた表示切替スイッチ３６を操作することにより表示部２５を前記した操作画像モードに切り替える。このとき、ＣＰＵ２８は、表示部２５を操作画像モードに切り替えるべく表示切替スイッチ３６が操作されたことを検知すると、表示部２５の表示画面３７に操作画像を表示させる旨の制御信号を画像出力部２７に送る。これにより、画像出力部２７は、前記したように、表示部２５に第一の出力ポート４３を介して操作画像信号を出力し、表示部２５には、操作画像が表示される。
【００５１】
次に、検者２３は、検査に用いる視標１１を表示部２５の一覧表示欄３９の操作により選択する。このとき、前記したように、表示部２５の視標表示欄４０には、選択された視標１１が表示され、表示部２５の検査名表示欄４１及び検査内容表示欄４２には、それぞれ選択された視標１１に対応する検査名及びその内容が表示され、更に、視標呈示部１３の表示画面１６に選択された視標１１が表示される。検者２３は、視標表示欄４０に表示された視標１１、検査名表示欄４１及び検査内容表示欄４２に表示された検査名及びその内容を視認することにより、表示された視標１１が選択した視標１１に一致しているか否か及び検査が適正な視標１１を用いて行われているか否かを確認することができる。
【００５２】
続いて、検者２３は、視標呈示部１３の表示画面１６に表示された視標１１を各検眼窓２２内に配置された前記各矯正レンズを通して被検者１２に見させ、その見え具合を聞く。検者２３は、被検者１２の応答に基づいて、各検眼窓２２内に配置する前記矯正レンズを操作部２４のダイヤル３５の操作により切り替える。このとき、ダイヤル３５の操作により設定された前記矯正レンズの屈折力が、前記したように、表示部２５の屈折力表示欄３８に表示される。前記矯正レンズを切り替えることにより、被検眼の視機能が矯正され、作成すべき眼鏡のレンズの屈折度数を定めることができる。
【００５３】
他方、近方を見た状態での被検眼の視機能を検査する際、検者２３は、先ず、コントローラ１５を検眼テーブル１８上で被検者１２の前方に配置し、表示部２５を前記軸部材の周りに回動させることにより表示画面３７を各フォロプタ２１に対向させる。
【００５４】
次に、検者２３は、表示切替スイッチ３６の操作により表示部２５を操作画像モードから視標モードに切り替え、更に、近用検査に用いる視標１１を表示部２５の一覧表示欄３９の操作により選択する。このとき、ＣＰＵ２８は、表示部２５を視標モードに切り替えるべく表示切替スイッチ３６が操作され、且つ、一覧表示欄３９から視標１１が選択されたことを検知すると、選択された視標１１に対応する視標データ３０をメモリ部２９から抽出し、抽出した視標データ３０が示す視標１１を操作画像の視標表示欄４０に表示させる前記した処理を行うことなく視標１１の大きさが表示画面３７の大きさとほぼ等しくなるように調節する画像処理を行う旨の制御信号を画像出力部２７に送る。これにより、画像出力部２７は、ＣＰＵ２８からの制御信号に基づいて視標１１の大きさを調節する処理を行い、大きさを調節した視標１１を示す視標画像信号を第二の出力ポート４４を介して表示部２５に出力する。これにより、表示部２５の表示画面３７には、選択された視標１１が表示画面３７の全域に亘って表示される。
【００５５】
このとき、視標１１を表示画面３７に検査対象となる視力値と表示画面３７及び各フォロプタ２１間の距離とに応じた大きさで表示させるために、例えば本願出願人が先の出願（特願２００６−２１９４９２号）で提案したように、各フォロプタ２１及び表示画面３７間の距離をメモリ部２９の計算プログラム３３を用いて算出し、算出した距離に基づいて視標１１の大きさを検査対象となる視力値に応じた大きさに調節した後、大きさを調節した視標１１を表示画面３７に表示させることができる。
【００５６】
続いて、検者２３は、表示部２５の表示画面３７に表示された視標１１を各検眼窓２２内に配置された前記各矯正レンズを通して被検者１２に見させ、その見え具合を聞く。その後、検者２３は、遠用検査時と同様に、被検者１２の応答に基づいて、各検眼窓２２内に配置する前記矯正レンズを操作部２４のダイヤル３５の操作により切り替える。
【００５７】
検者２３は、近用検査中に操作画像を確認するときは、表示切替スイッチ３６を操作することによって表示部２５を操作画像モードに切り替えることにより、表示部２５の表示画面３７に操作画像を表示させることができる。
【００５８】
また、本発明に係る自覚式検眼装置１０を用いて被検眼の斜位度を測定する斜位検査を実行する際、視標呈示部１３の表示画面１６又は表示部２５の表示画面３７上に図示しない偏光板を貼り付け、視標呈示部１３又は表示部２５のバックライトを利用することにより、従来と同様に、斜位検査を行うことができる。又は、この方法に代えて、視標呈示部１３の表示画面１６又は表示部２５の表示画面３７に図示しないが従来よく知られたレッド・グリーン視標を表示させ、各フォロプタ２１の検眼窓２２にそれぞれ図示しないレッド・グリーンフィルタを設けることにより、左右の被検眼にそれぞれ個別の画像を呈示させて斜位検査を行うことができる。更に、これらの方法に代えて、例えば各フォロプタ２１内の前記レンズディスクに設けられた前記矯正レンズに図示しない液晶フィルタを設け、視標呈示部１３の表示画面１６又は表示部２５の表示画面３７に左眼用の視標１１と右眼用の視標１１とを交互に高速で入れ替えて表示させ、各視標１１の入れ替えに応じて前記各レンズディスクを回転させることによって前記液晶フィルタが設けられた前記矯正レンズと前記液晶フィルタが設けられていない前記矯正レンズとを交互に各フォロプタ２１の検眼窓２２内に配置することにより、左右の被検眼にそれぞれ個別の画像を呈示させて斜位検査を行うことができる。
【００５９】
本実施例によれば、前記したように、画像出力部２７は、ＣＰＵ２８によりメモリ部２９から抽出された操作画像データ３１に対応する操作画像を示す操作画像信号を第一の出力ポート４３から表示部２５に出力し、ＣＰＵ２８により抽出された視標データ３０に対応する視標１１を示す視標画像信号を第二の出力ポート４４から表示部２５及び視標呈示部１３に出力することから、画像出力部２７から第二の出力ポート４４を経て視標呈示部１３に視標画像信号が出力されることにより、表示部２５に設けられた前記タッチパネルの操作により選択された視標１１を視標呈示部１３に表示させることができる。
【００６０】
すなわち、視標呈示部１３は、前記したように、ＣＰＵ２８から受信した画像信号に基づいて該画像信号に示された画像が電気的に表示される液晶パネルで構成することができ、演算制御部から視標提示部に出力された駆動制御信号に基づいて各視標データと同一の視標データが記憶されたメモリ部から駆動制御信号が示す視標に対応する視標データを抽出し、抽出した視標データに対応する視標板を被検眼の前方に選択的に配置するために配置装置を機械的に駆動させる従来のような視標呈示部では構成されていない。
【００６１】
これにより、従来の視標呈示部に設けられたメモリ部及び各視標板は不要であることから、自覚式検眼装置１０に新たな視標１１を組み込む際、メモリ部２９に例えば新たな視標データ３０を追加し、又は、メモリ部２９に記憶された既存の視標データ３０を他の視標データ３０に変更すれば足り、このメモリ部２９への追加及び変更に伴ってメモリ部２９以外の部材への追加作業及び変更作業を施す必要はない。
【００６２】
従って、従来のように視標呈示部１３で呈示可能な視標１１の種類を表示部２５に設けられた前記タッチパネルの操作で選択可能な視標１１の種類と整合させる必要がある場合に比べて、自覚式検眼装置１０に新たな視標１１を確実に容易に組み込むことができる。
【００６３】
また、前記したように、画像出力部２７は、表示部２５に視標画像信号を第二の出力ポート４４を介して出力し、表示部２５には、選択された視標１１が操作画像と共に表示され、更に、操作画像と切替可能に表示されることから、操作画像を視認しながら又は表示部２５の表示を切り換えることにより、選択された視標１１を容易に視認することができる。これにより、例えば画像出力部２７から第二の出力ポート４４を介して表示部２５及び視標呈示部１３にそれぞれ視標画像信号が出力される場合、検者２３は、表示部２５に表示された視標１１を視認することにより、視標呈示部１３に表示された視標１１すなわち被検者１２に呈示された視標１１が選択した視標１１と一致しているか否かを容易に確認することができる。従って、被検者１２に呈示された視標１２が選択した視標１１と一致しているか否かを確認するために例えば視標呈示部１３を覗き込む場合に比べて、被検眼の視機能検査を円滑に進行することができる。
【００６４】
本実施例では、近方を見た状態での被検眼の視機能を検査する際、表示切替スイッチ３６の操作により表示部２５を操作画像モードから視標モードに切り替えることにより、選択した視標１１を表示部２５の表示画面３７に表示させる例を示したが、これに代えて、図５に示すように、表示部２５の表示画面３７を、少なくとも二方向からそれぞれ互いに異なる画像が視認可能な液晶を有するいわゆるデュアルビュー（登録商標）液晶及びトリプルビュー液晶等で構成し、選択された視標１１を表示部２５の表示画面３７にその一方向から視認可能となるように表示し、更に、操作画像を表示部２５の表示画面３７にその他方向から視認可能となるように表示することができる。
【００６５】
この場合、画像出力部２７は、ＣＰＵ２８から操作画像データ３１を示す信号を受けると、前記したと同様に、操作画像を表示画面３７に表示させることを示す操作画像信号を第一の出力ポート４３を介して表示部２５に送る。これにより、表示部２５の表示画面３７には操作画像が表示される。
【００６６】
更に、画像出力部２７は、ＣＰＵ２８から視標データ３０を示す信号を受けると、該視標データが示す視標１１を操作画像の視標表示欄４０に表示させる旨の視標画像信号を第二の出力ポート４４を介して表示部２５に出力し、更に、視標１１の大きさが表示画面３７の大きさとほぼ等しくなるように調節する画像処理を行った後、大きさを調節した視標１１を示す視標画像信号を第二の出力ポート４４を介して表示部２５に出力する。これにより、表示部２５の表示画面３７には、選択された視標１１が表示された視標表示欄４０を含む操作画像と表示画面３７の全域に亘る大きさを有する視標１１を示す視標画像とが同時に表示される。
【００６７】
図５に示す例によれば、表示画面３７は、該表示画面を正面から見たときに前記視標画像が視認可能となり、表示画面３７を該表示画面に向かって右側から見たときに前記操作画像が視認可能となるように設定されている。これにより、左眼及び右眼のそれぞれから表示画面３７までの距離が互いに等しくなるので、表示画面３７に表示された画像を被検者１２が表示画面３７をその斜め方向から見る場合に比べて、被検眼の視機能をより適切に検査することができる。
【００６８】
従って、表示部２５の表示画面３７には、その正面から前記視標画像が視認可能となるように表示され、更に、その右側から前記操作画像が視認可能となるように表示されることから、近方を見た状態での被検眼の検査中に操作画像を視認する必要があるときに、検者２３は被検眼に視標１１を呈示した状態で操作画像を視認することができる。これにより、操作画像を視認するために例えば表示部２５の表示を視標１１が表示された視標モードから操作画像が表示される操作画像モードに切り換える場合に比べて、検査時間の短縮を確実に図ることができる。
【００６９】
図５に示す例では、表示部２５の表示画面３７が二方向からそれぞれ互いに異なる画像が視認可能となるように設定された例を示したが、これに代えて、互いに異なる画像が三方向から視認することができるように表示画面３７を設定することができる。
【００７０】
図１乃至図５に示す例において、視標呈示部１３の表示画面１６を、図５に示した例で述べたデュアルビュー液晶で構成することができる。
【００７１】
この場合、例えば、メモリ部２９に宣伝画像を示す図示しない宣伝データを記憶させ、図６に示すように、画像出力部２７に宣伝画像を示す宣伝画像信号を出力するための第五の出力ポート４７を設け、視標呈示部１３への視標１１の表示時にＣＰＵ２８がメモリ部２９から前記宣伝データを抽出して画像出力部２７に送り、該画像出力部から第五の出力ポート４７を介して宣伝画像を示す宣伝画像信号を視標呈示部１３に出力することができる。
【００７２】
図６に示す例では、表示画面１６を正面から見たときに視標１１が視認可能となり、表示画面１６をその例えば左側から見たときに宣伝画像が視認可能となるように、表示画面１６が設定されている。これにより、被検眼の視機能検査中に例えば被検者１２の同伴者のように被検者１２以外の者に宣伝画像を見せることができる。
【００７３】
図１乃至図６に示す例では、ＣＰＵ２８から受ける視標データ３０を示す視標画像信号は、画像出力部２７から第二の出力ポート４４を経て表示部２５及び視標呈示部１３に出力される例を示したが、これに代えて、又は、これに加えて、例えば図７に示すように、視標画像信号を画像処理部２７から第二の出力ポート４４を介して表示部２５及び視標呈示部１３以外の画像表示手段４８に出力することができる。
【００７４】
図７に示す例では、画像表示手段４８は液晶パネルで構成されている。画像出力部２７は、ＣＰＵ２８から視標データ３０を示す信号を受けると、前記したと同様に、視標画像信号を第二の出力ポート４４を介して表示部２５及び視標呈示部１３に出力すると同時に、視標画像信号を画像表示手段４８に出力する。これにより、表示部２５の表示画面３７に表示された操作画像の視標表示欄４０と、視標呈示部１３の表示画面１６と、画像表示手段４８とに、それぞれ同一の視標１１が表示される。
【００７５】
従来、被検者１２が子供である場合のように被検者１２に例えば親が同伴している場合、親は、検査結果として子供の視力値やメガネをかけるべきか否か等を知ることはできるが、被検者１２である子供に同伴しているにも拘らず、子供に呈示された視標１１を見ることが困難であるため、子供がどの程度の大きさの文字及び記号等を見ることができないのかを実際に知ることができない。このため、例えばメガネをかけるべきであるとの検者２３による判断に対する不安を同伴者である親に与えてしまうことがある。
【００７６】
これに対し、図７に示す例によれば、画像出力部２７は、画像表示手段４８に視標画像信号を第二の出力ポート４４を介して出力することから、画像表示手段４８を例えば被検者１２の同伴者に視標１１を呈示するために用いることにより、画像表示手段４８に表示された視標１１すなわち被検者１２に呈示された視標１１を同伴者が視認することができる。これにより、被検者１２が子供であり親が同伴している場合、親は、画像表示手段４８に表示された視標１１を視認することにより、子供に呈示された視標１１を容易に見ることができるので、子供がどの程度の大きさの文字及び記号等を見ることができないのかを実際に知ることができる。従って、例えばメガネをかけるべきであるとの検者２３による判断に対する安心感を同伴者である親に与えることができる。
【００７７】
図７に示す例において、画像表示手段４８に、実行されている検査の名前及び検査の内容をそれぞれ表示することができる。
【００７８】
この場合、画像出力部２７は、ＣＰＵ２８から検査データ３２を示す信号を受けたとき、前記したと同様に、操作画像データ３１に含まれる検査名表示欄４１及び検査内容表示欄４２にそれぞれ検査データ３２が示す検査名及び検査内容を表示する旨の検査画像信号を第四の出力ポート４６を介して表示部２５に送ると同時に、図７に点線で示したように、検査データ３２が示す検査名及び検査内容を画像表示手段４８に表示する旨の検査画像信号を第四の出力ポート４６を介して画像表示手段４８に出力することができる。このとき、画像表示手段４８に例えば視標１１と重ならない位置で検査名及び検査内容を示す画像を表示するための表示領域を形成し、該表示領域に検査名及び検査内容を示す画像を表示することにより、検査名及び検査内容を示す画像によって視標１１の視認が妨げられることを防止することができる。
【００７９】
これにより、実行されている検査の名前及びその内容を示す画像が、表示部２５の表示画面３７の検査名表示欄４１及び検査内容表示欄４２に加えて、画像表示手段４８に視標１１と同時に表示される。
【００８０】
これによれば、画像出力部２７は、ＣＰＵ２８からの信号に基づいて検査の名前及びその内容を示す画像を画像表示手段４８に表示する旨の検査画像信号を画像表示手段４８に出力することから、例えば被検者１２が子供であり該被検者に親が同伴している場合、画像表示手段４８を親に視標１１、検査名及び検査内容を呈示するために用いることにより、親は、画像表示手段４８の表示を視認することにより、子供に呈示された視標１１を容易に見ることができることに加えて、実行されている検査の名前及びその内容を見ることができるので、子供がどのような検査を行った結果例えばメガネをかけるべきであるとの判断に至ったのかを確認することができる。これにより、被検者１２である子供の視機能検査に対する安心感を親により確実に与えることができる。
【００８１】
図１乃至図７に示す例では、表示部２５に表示される操作画像に視標表示欄４０が設けられた例を示したが、視標表示欄４０を不要とすることができる。
【００８２】
この場合、画像出力部２７は、表示切替スイッチ３６の操作により表示部２５が操作画像モードから視標モードに切り替えられたときに、前記したように、ＣＰＵ２８から受ける視標データ３０が示す視標１１の視標画像信号を第二の出力ポート４４を介して表示部２５に出力する。これにより、表示部２５の表示画面３７に視標１１を表示することができる。
【００８３】
また、図１乃至図７に示す例では、表示部２５の表示画面３７に表示された一覧表示欄３９上に前記タッチパネルが設けられており、該タッチパネルの操作により一覧表示欄３９から視標１１が選択される例を示したが、これに代えて、又は、これに加えて、例えば操作部２５に各種の視標１１を選択するための選択スイッチを設け、該選択スイッチの操作により視標１１を選択することができる。
【００８４】
更に、図１乃至図７に示す例では、表示部２５が操作部２４に前記軸部材を介して回動可能に連結された例を示したが、これに代えて、表示部２５を操作部２４とは別に設けることができる。
【００８５】
また、図１乃至図７に示す例において、画像出力部２７と、視標呈示部１３、表示部２５及び前記画像表示手段４８とを、それぞれ互いに電線により接続することによって該電線を介して画像出力部２７から視標呈示部１３、表示部２５及び前記画像表示手段４８にそれぞれ各種の信号を出力することができ、又は、無線機器を設けることによって電線を用いることなく画像出力部２７から視標呈示部１３、表示部２５及び前記画像表示手段４８にそれぞれ例えば電磁波を送ることにより各種の信号を出力することができる。
【図面の簡単な説明】
【００８６】
【図１】本発明に係る自覚式検眼装置を概略的に示す斜視図である。
【図２】本発明に係る自覚式検眼装置を概略的に示すブロック図である。
【図３】本発明に係るコントローラを概略的に示す平面図である。
【図４】本発明に係る表示部の表示画面を概略的に示す正面図である。
【図５】本発明に係る表示部の表示画面をデュアルビュー液晶で構成した例を概略的に示す説明図である。
【図６】本発明に係る画像出力部に第五の出力ポートが設けられた例を概略的に示すブロック図である。
【図７】本発明に係る表示部及び視標呈示部以外の画像表示手段に画像出力部から画像信号を出力する例を概略的に示すブロック図である。
【符号の説明】
【００８７】
１０  自覚式検眼装置
１１  視標
１３  視標呈示部
１４  光学素子配置装置（矯正装置）
２４  操作部
２５  表示部
２７  画像出力部
２８  演算制御部（ＣＰＵ）
２９  メモリ部
３０  視標データ
３１  操作画像データ
３２  検査データ
４３，４４，４５，４６，４７  出力ポート
４８  画像表示手段
【図１】
2008131963.tif 000003
【図２】
2008131963.tif 000004
【図３】
2008131963.tif 000005
【図５】
2008131963.tif 000006
【図６】
2008131963.tif 000007
【図７】
2008131963.tif 000008
【図４】
2008131963.tif 000009